(57)【特許請求の範囲】
【請求項１】
開口部が設けられた蓋本体と、前記開口部を開閉自在な蓋体と、を備えた収容カバーにおいて、
長手方向の中央部が前記蓋体に連なり、かつ両端部が前記蓋体の外表面から突出しているとともに、一端部が前記蓋本体に係合すると前記開口部を開放する状態に前記蓋体を保ち、他端部が前記蓋本体に係合すると前記開口部を閉じた状態に前記蓋体を保つロックアームを備え、
前記ロックアームの前記蓋体の外側面から見た平面形状が、矩形の枠状に形成されていることを特徴とする収容カバー。
【請求項２】
前記蓋本体には、前記ロックアームの一端部が係合する第１ロック突起と、前記ロックアームの他端部が係合する第２ロック突起と、が設けられ、そして、互いに係合した前記ロックアームの一端部と前記第１ロック突起の互いに相対する面がこれらの接離方向に対して直交し、かつ互いに係合した前記ロックアームの他端部と前記第２ロック突起の互いに相対する面がこれらの接離方向に対して直交していることを特徴とする請求項１記載の収容カバー。
【発明の詳細な説明】
【技術分野】
【０００１】
本発明は、例えば、自動車のエンジンのスタータモータなどに供給される電力が流れる端子部などを収容する収容カバーに関する。
【背景技術】
【０００２】
例えば、自動車のエンジンのスタータモータなどには、他の機器よりも大きな電流の電力が供給される。このため、前述したスタータモータなど供給される電力が流れる電子機器と接続した端子部は、絶縁性の収容カバー（例えば、特許文献１及び２参照）などで覆われることが多い。
【０００３】
前述した特許文献１及び２に示された収容カバーは、前述した端子部に取り付けられる蓋本体と、該蓋本体にセルフヒンジなどで連なった蓋体とを備えている。蓋本体は、前述した端子部を露出させることが可能な開口部が設けられている。蓋体は、開口部を開閉自在に蓋本体に支持されている。
【０００４】
前述した収容カバーは、前記蓋体を前記開口部を開放した状態に保つ第１ロック部と、前記蓋体を前記開口部を閉じた状態に保つ第２ロック部とを備えている。第１及び第２ロック部は、それぞれ、蓋体と蓋本体とのうち一方から凸のロック突起と、他方に設けられかつ前記ロック突起が係合するロック受け部を備えている。前述した収容カバーは、端子部に作業を施したり該収容カバーのみを搬送する際等には、第１ロック部のロック突起とロック受け部とを互いに係合させて開口部を開放した状態に蓋体を保ち、端子部に作業を施さずに前述した端子部を外部と電気的に絶縁したり該端子部に水分や埃などの異物が付着することを防止する際等には、第２ロック部のロック突起とロック受け部とを互いに係合させて開口部を閉じた状態に蓋体を保つ。
【特許文献１】実開平６−５４２２２号公報
【特許文献２】特開２００４−２５３２２３号公報
【発明の開示】
【発明が解決しようとする課題】
【０００５】
前述した構成の収容カバーは、例えば自動車の組立ラインまで搬送された後、該自動車の組立ラインで前述した端子部に組み付けられることがある。このため、収容カバーは、前述した第１ロック部のロック突起とロック受け部との係合を外れやすく形成することが多い。そして、前述した収容カバーは、前述した開口部を閉じた後、該開口部が不意に開放することを防止するために、前述した第２ロック部のロック突起とロック受け部との係合を外れにくく形成している。
【０００６】
このように、前述した従来の収容カバーは、第１ロック部のロック突起とロック受け部との係合が外れやすいために、該収容カバーの運搬中や端子部に作業を施したり作業中に第１ロック部の係合が不意に外れて、第２ロック部のロック突起とロック受け部とが係合してしまうことがあった。この場合、前述した構成の収容カバーは、第２ロック部の係合が外れにくくなっているため、前述した開口部を再度開放することが困難であった。
【０００７】
したがって、本発明の目的は、蓋体の開放した状態と閉じた状態とを確実に保つことを可能にしながら、開放及び閉じた状態の解除を容易に行うことを可能とする収容カバーを提供することにある。
【課題を解決するための手段】
【０００８】
上記課題を解決し目的を達成するために、請求項１に記載の収容カバーは、開口部が設けられた蓋本体と、前記開口部を開閉自在な蓋体と、を備えた収容カバーにおいて、長手方向の中央部が前記蓋体に連なり、かつ両端部が前記蓋体の外表面から突出しているとともに、一端部が前記蓋本体に係合すると前記開口部を開放する状態に前記蓋体を保ち、他端部が前記蓋本体に係合すると前記開口部を閉じた状態に前記蓋体を保つロックアームを備え、前記ロックアームの前記蓋体の外側面から見た平面形状が、矩形の枠状に形成されていることを特徴としている。
【０００９】
請求項２に記載の収容カバーは、請求項１に記載の収容カバーにおいて、前記蓋本体には、前記ロックアームの一端部が係合する第１ロック突起と、前記ロックアームの他端部が係合する第２ロック突起と、が設けられ、そして、互いに係合した前記ロックアームの一端部と前記第１ロック突起の互いに相対する面がこれらの接離方向に対して直交し、かつ互いに係合した前記ロックアームの他端部と前記第２ロック突起の互いに相対する面がこれらの接離方向に対して直交していることを特徴としている。
【００１０】
請求項１に記載の収容カバーによれば、それぞれ蓋本体に係合するロックアームの両端部が蓋体から突出している。このため、ロックアームの両端部のうち一方が係合している際に他方を容易に操作することができる。
【００１１】
請求項２に記載の収容カバーによれば、蓋本体にロック突起が設けられているので、蓋本体に確実にロックアームの両端部を係合させることができる。
【発明の効果】
【００１２】
請求項１に記載の本発明によれば、ロックアームの両端部のうち一方が係合している際に他方を容易に操作することができるので、例えば他方を操作して容易に一方の係合が解除する方向にロックアームを変形させることができる。したがって、容易にロックアームの両端部それぞれの蓋本体への係合を解除させることができ、蓋体の開閉を容易に行うことができる。
【００１３】
このため、特に一旦ロックアームの他端部が蓋本体に係合して、蓋体が開口部を塞いだ状態であっても、ロックアームの一端部を操作して、他端部の係合を容易に解除できる。したがって、容易に開口部を開放することができる。
【００１４】
このように、ロックアームの両端部を蓋体に一旦係合すると外れにくくした形状としても、ロックアームの端部を操作することで、これらの端部の係合を容易に解除できる。したがって、蓋体の開放した状態と閉じた状態とを確実に保つことを可能にしながら、開放及び閉じた状態の解除を容易に行うことが可能となる。
【００１５】
請求項２に記載の本発明によれば、蓋本体に確実にロックアームの両端部を係合させることができるので、開口部を開放する状態と閉じた状態との双方に蓋体を確実に位置付けることができる。
【発明を実施するための最良の形態】
【００１６】
以下、本発明の一実施形態に係る収容カバーを、図１ないし図７に基づいて説明する。
【００１７】
本実施形態に係る収容カバー１は、自動車のスタータモータなどの他の電子機器より高い電流値の電力が供給される電子機器と接続される端子部２と、該端子部２に接続される電線９付きのＬＡ端子３とを収容する。
【００１８】
端子部２は、導電性の金属で構成され、かつ、図１に示すように、前述したスタータモータなどの電子機器と接続した台部４と、該台部４から立設したねじ軸５と、ナット６とを備えている。ナット６は、ねじ軸５に螺合する。
【００１９】
ＬＡ端子３は、厚手の板金で構成され、環状の電気接触部７（図３に示す）と、該電気接触部７に連なった電線接続部８（図６に示す）とを備えている。電気接触部７は、内側にねじ軸５を通して端子部２の台部４上に重ねられる。電線接続部８は、バッテリやジェネレータなどの電源などと接続した電線９（図１に示す）が取り付けられる。電線接続部８即ちＬＡ端子３は、勿論、前述した電線９と電気的に接続される。
【００２０】
前述した端子部２は、ねじ軸５を通した電気接触部７が台部４上に重ねられて、ねじ軸５にナット６が螺合して、該ナット６と台部４との間に該電気接触部７を挟み込んで、ＬＡ端子３が取り付けられる。そして、端子部２は、台部４即ち前述した前述した電線９などを介して、高い電流値の電力が供給される電子機器と前述した電源とを電気的に接続する。
【００２１】
収容カバー１は、絶縁性の合成樹脂で構成され、図１、図２及び図５に示すように、蓋本体１０と、蓋体１１と、一対のロックアーム１２とを一体に備えている。蓋本体１０は、天井壁１３と、該天井壁１３の幅方向の両縁から立設した一対の周壁１４とを備えて、樋状に形成されている。蓋本体１０は、天井壁１３の長手方向の一端部が前述した台部４と間隔をあけて相対する状態で、該台部４に被せられた格好で該端子部２に固定される。蓋本体１０の天井壁１３の前述した一端部には、開口部１５が設けられている。開口部１５は、勿論、蓋本体１０の天井壁１３を貫通している。
【００２２】
さらに、前述した蓋本体１０には、さらに、一対の第１ロック突起１６と、一対の第２ロック突起１７とが設けられている。第１ロック突起１６は、図６及び図７に示すように、蓋本体１０の一対の周壁１４それぞれの長手方向の中央部の外表面から凸に形成されている。第１ロック突起１６は、天井壁１３側の縁にテーパ面１６ａが形成されている。テーパ面１６ａは、周壁１４の外表面に沿って天井壁１３から離れるのにしたがって、徐々に蓋本体１０の外側に向かう方向に傾斜している。第１ロック突起１６は、天井壁１３から離れた側の縁に周壁１４に対し直交しかつ天井壁１３と平行な平坦面１６ｂが形成されている。平坦面１６ｂは、ロックアーム１２の一端部１２ｂと係合する際に、該一端部１２ｂと相対的に接離する方向Ｓ１（図６及び図７中に矢印で示す）に対して直交する方向に沿って平坦に形成されている。なお、接離とは、互いに近づいたり離れることを示しており、前述した天井壁１３に対し直交している。
【００２３】
第２ロック突起１７は、図３及び図４に示すように、蓋本体１０の一対の周壁１４それぞれの長手方向の前述した開口部１５寄りの一端部の外表面から凸に形成されている。第２ロック突起１７は、天井壁１３側の縁にテーパ面１７ａが形成されている。テーパ面１７ａは、周壁１４の外表面に沿って天井壁１３から離れるのにしたがって、徐々に蓋本体１０の外側に向かう方向に傾斜している。第２ロック突起１７は、天井壁１３から離れた側の縁に周壁１４に対し直交しかつ天井壁１３と平行な平坦面１７ｂが形成されている。平坦面１７ｂは、ロックアーム１２の他端部１２ｃと係合する際に、該他端部１２ｃと相対的に接離する方向Ｓ２（図３及び図４中に矢印で示す）に対して直交する方向に沿って平坦に形成されている。
【００２４】
蓋体１１は、図１、図２及び図５に示すように、前述した開口部１５の天井壁１３の長手方向の中央部と前述した一端部との間に位置する一つの縁に、セルフヒンジ１８を介して連なっている。セルフヒンジ１８は、蓋本体１０と蓋体１１との双方と連なっており、これらより厚みが薄く形成されて、変形自在となっている。
【００２５】
蓋体１１は、セルフヒンジ１８が変形することで、該セルフヒンジ１８を中心として、蓋本体１０に対して回転自在に支持されている。蓋体１１は、セルフヒンジ１８を中心として回転することで、前述した開口部１５を閉じた状態（図２に示す）と、開口部１５を開放する状態（図５に示す）とに亘って変位自在となっている。即ち、蓋体１１は、開口部１５を開閉自在である。
【００２６】
ロックアーム１２は、平面形状が矩形状の枠状に形成されている。ロックアーム１２は、それぞれ、蓋体１１が前述した閉じた状態に位置付けられた際に、前述した周壁１４と略面一となる蓋体１１の外側面それぞれに連なっている。ロックアーム１２は、その長手方向の中央部１２ａが、蓋体１１の前述した外側面と一体に形成されている。ロックアーム１２の両端部１２ｂ，１２ｃは、蓋体１１から突出している。ロックアーム１２は、その長手方向が、蓋体１１の表面に対し直交（交差）する状態に配置されている。
【００２７】
このため、蓋体１１がセルフヒンジ１８を中心として回転することで、ロックアーム１２は、端子部２から離れた側の一端部１２ｂが第１ロック突起１６と係合する位置と、端子部２寄りの他端部１２ｃが第２ロック突起１７と係合する位置と、に亘って変位する。このように、ロックアーム１２は、一端部１２ｂが第１ロック突起１６（即ち蓋本体１０）に係合したり、他端部１２ｃが第２ロック突起１７（即ち蓋本体１０）に係合する。そして、ロックアーム１２は、一端部１２ｂが第１ロック突起１６（即ち蓋本体１０）に係合すると、前述した開口部１５を開放する状態に蓋体１１を保ち、他端部１２ｃが第２ロック突起１７（即ち蓋本体１０）に係合すると、前述した開口部１５を閉じた状態に蓋体１１を保つ。
【００２８】
ロックアーム１２は、一端部１２ｂが第１ロック突起１６（即ち蓋本体１０）に係合した状態で、該一端部１２ｂの第１ロック突起１６への係合を解除する際には、中央部１２ａが蓋体１１に連なっているため、他端部１２ｃを該一対のロックアーム１２の他端部１２ｃ同士が近づく方向に押圧する。そして、ロックアーム１２の一端部１２ｂを周壁１４から離して、該一端部１２ｂの第１ロック突起１６への係合を解除する。このように、ロックアーム１２の中央部１２ａが蓋体１１に連なっているため、ロックアーム１２の他端部１２ｃを、該ロックアーム１２の一端部１２ｂが第１ロック突起１６即ち周壁１４から離れる方向にロックアーム１２が変形する方向に押圧して、ロックアーム１２の一端部１２ｂの第１ロック突起１６への係合を解除する。
【００２９】
ロックアーム１２は、他端部１２ｃが第２ロック突起１７（即ち蓋本体１０）に係合した状態で、該他端部１２ｃの第２ロック突起１７への係合を解除する際には、中央部１２ａが蓋体１１に連なっているため、一端部１２ｂを該一対のロックアーム１２の一端部１２ｂ同士が近づく方向に押圧する。そして、ロックアーム１２の他端部１２ｃを周壁１４から離して、該他端部１２ｃの第２ロック突起１７への係合を解除する。このように、ロックアーム１２の中央部１２ａが蓋体１１に連なっているため、ロックアーム１２の一端部１２ｂを、該ロックアーム１２の他端部１２ｃが第２ロック突起１７即ち周壁１４から離れる方向にロックアーム１２が変形する方向に押圧して、ロックアーム１２の他端部１２ｃの第２ロック突起１７への係合を解除する。
【００３０】
また、ロックアーム１２の一端部１２ｂが第１ロック突起１６に係合した際に、ロックアーム１２の一端部１２ｂの前述した平坦面１６ｂに相対する面１２ｄ（図７に示す）は、前述した接離方向Ｓ１に対して直交している。このように、第１ロック突起１６とロックアーム１２の一端部１２ｂの係合した際に互いに相対する面１２ｄ，１６ｂが、前述した接離方向Ｓ１と直交することで、ロックアーム１２の一端部１２ｂと第１ロック突起１６とは、互いの係合が非常に外れにくい完全ロック形状に形成されている。
【００３１】
さらに、ロックアーム１２の他端部１２ｃが第２ロック突起１７に係合した際に、ロックアーム１２の他端部１２ｃの前述した平坦面１７ｂに相対する面１２ｅ（図４に示す）は、前述した接離方向Ｓ２に対して直交している。このように、第２ロック突起１７とロックアーム１２の他端部１２ｃの係合した際に互いに相対する面１２ｅ，１７ｂが、前述した接離方向Ｓ２と直交することで、ロックアーム１２の他端部１２ｃと第２ロック突起１７とは、互いの係合が非常に外れにくい完全ロック形状に形成されている。
【００３２】
本実施形態によれば、それぞれ蓋本体１０に係合するロックアーム１２の両端部１２ｂ，１２ｃが蓋体１１から突出している。このため、ロックアーム１２の両端部１２ｂ，１２ｃのうち一方が係合している際に他方を容易に操作することができる。このため、例えば他方を操作して容易に一方の係合が解除する方向にロックアーム１２を変形させることができる。したがって、容易にロックアーム１２の両端部１２ｂ，１２ｃそれぞれの蓋本体１０への係合を解除させることができ、蓋体１１の開閉を容易に行うことができる。
【００３３】
このため、ロック突起１６，１７などが前述した完全ロック形状に形成されており、特に一旦ロックアーム１２の他端部１２ｃが蓋本体１０に設けられた第２ロック突起１７に係合して、蓋体１１が開口部１５をを塞いだ（閉じた）状態であっても、ロックアーム１２の一端部１２ｂを操作して、他端部１２ｃの係合を容易に解除できる。したがって、容易に開口部１５を開放することができる。
【００３４】
このように、ロックアーム１２の両端部１２ｂ，１２ｃを蓋体１１に一旦係合すると外れにくくした形状としても、ロックアーム１２の端部１２ｂ，１２ｃを操作することで、これらの端部１２ｂ，１２ｃの係合を容易に解除できる。したがって、蓋体１１の開放した状態と閉じた状態とを確実に保つことを可能にしながら、開放及び閉じた状態の解除を容易に行うことが可能となる。
【００３５】
また、蓋本体１０にロック突起１６，１７が設けられているので、蓋本体１０に確実にロックアーム１２の両端部１２ｂ，１２ｃを係合させることができる。したがって、開口部１５を開放する状態と閉じた状態との双方に蓋体１１を確実に位置付けることができる。
【００３６】
なお、前述した実施形態では、端子部２は、スタータモータに接続している。しかしながら、本発明では、端子部２は、モータ、ジェネレータ、バッテリなどに接続しても良い。要するに、本発明では、端子部２は、高い電流値の電力が流れる電子機器に接続するのが望ましく、種々の電子機器に接続しても良い。このように、収容カバー１は、如何なる部品を収容しても良い。また、本発明では、蓋本体１０にロック突起１６，１７を設けることなく、ロックアーム１２の両端部１２ｂ，１２ｃを係合させるようにしても良い。
【００３７】
なお、上述した実施形態は本発明の代表的な形態を示したに過ぎず、本発明は、上述した実施形態に限定されるものではない。すなわち、本発明の骨子を逸脱しない範囲で種々変形して実施することができる。
【図面の簡単な説明】
【００３８】
【図１】本発明の一実施形態に係る収容カバーなどを示す斜視図である。
【図２】図１に示された収容カバーの蓋体が蓋本体の開口部を塞いだ状態を示す斜視図である。
【図３】図２中のＩＩＩ−ＩＩＩ線に沿う断面図である。
【図４】図３中のＩＶ部を拡大して示す断面図である。
【図５】図１に示された収容カバーの蓋体が蓋本体の開口部を開放した状態を示す斜視図である。
【図６】図５中のＶＩ−ＶＩ線に沿う断面図である。
【図７】図６中のＶＩＩ部を拡大して示す断面図である。
【符号の説明】
【００３９】
１  収容カバー
１０  蓋本体
１１  蓋体
１２  ロックアーム
１２ａ  中央部
１２ｂ  一端部
１２ｃ  他端部
１５  開口部
【図１】
0004828946.tif 000002
【図２】
0004828946.tif 000003
【図３】
0004828946.tif 000004
【図４】
0004828946.tif 000005
【図５】
0004828946.tif 000006
【図６】
0004828946.tif 000007
【図７】
0004828946.tif 000008